(57)【要約】【課題】  低コストで花卉を見栄え良く陳列できる花卉収容箱を提供する。【解決手段】  花卉収容箱１０は、四辺形の主壁板１１と、主壁板１１に横方向に連なって角形筒体を形成する四辺形の副壁板１２〜１４とを有する。主壁板１１の縦方向中央には横方向に伸びる折り曲げ線３１が形成され、副壁板１２〜１４には上部半体３２ａ〜３４ａと下部半体３２ｂ〜３４ｂとに分割するミシン目３２〜３４が形成される。このミシン目３２〜３４は相互に連なって設けられており、ミシン目３２〜３４を介して折り曲げ線３１の一端と他端とが結ばれている。花卉収容箱１０を１つの運搬容器として使用する際には、ミシン目３２〜３４を介して副壁板１２〜１４を分断することなく保持する一方、花卉収容箱１０を２つの陳列容器として使用する際には、ミシン目３２〜３４に沿って副壁板１２〜１４を分断するとともに折り曲げ線３１に沿って主壁板１１を折り返す。【選択図】  図２
2005178808.tif 000002
【特許請求の範囲】
【請求項１】
花卉を収容する花卉収容箱であって、
四辺形の主壁板と、前記主壁板に横方向に連なって角形筒体を形成する複数の四辺形の副壁板とを有し、
前記主壁板に横方向に伸びるとともに主壁板を一方側半体と他方側半体とに区画する区画部を形成し、
前記複数の副壁板のそれぞれに、それぞれの副壁板を一方側半体と他方側半体とに区画するとともに相互に連なって前記区画部の一端と他端とを結ぶ切断部を形成することを特徴とする花卉収容箱。
【請求項２】
請求項１記載の花卉収容箱において、
前記主壁板の区画部は、前記主壁板の縦方向中央に形成される折り曲げ部であり、
花卉を収容する１つの運搬容器として使用する際には、前記切断部を介して前記副壁板の一方側半体と他方側半体とを一体に保持し、
花卉を収容する２つの陳列容器として使用する際には、前記切断部に沿って前記副壁板のそれぞれを一方側半体と他方側半体とに分断するとともに前記折り曲げ部に沿って前記主壁板を折り返すことを特徴とする花卉収容箱。
【請求項３】
請求項１記載の花卉収容箱において、
前記主壁板の区画部は切断部であり、
花卉を収容する１つの運搬容器として使用する際には、前記切断部を介して前記主壁板および前記副壁板の一方側半体と他方側半体とを一体に保持し、
花卉を収容する２つの陳列容器として使用する際には、前記切断部に沿って前記主壁板および前記副壁板のそれぞれを一方側半体と他方側半体とに分断することを特徴とする花卉収容箱。
【請求項４】
請求項１〜３のいずれか１項に記載の花卉収容箱において、前記複数の副壁板は前記主壁板に対向する副壁板と相互に対向する一対の副壁板とにより形成され、前記角形筒体を矩形断面に形成することを特徴とする花卉収容箱。
【請求項５】
請求項１〜４のいずれか１項に記載の花卉収容箱において、前記主壁板の両側辺に設けられる前記副壁板の切断部を縦方向に傾斜させることを特徴とする花卉収容箱。
【請求項６】
請求項１〜５のいずれか１項に記載の花卉収容箱において、前記主壁板および前記副壁板のそれぞれの縦方向端部にフラップ板を連設し、前記フラップ板の少なくともいずれか２つに底上げ板部を区画する切取部を形成することを特徴とする花卉収容箱。
【請求項７】
請求項１〜６のいずれか１項に記載の花卉収容箱において、前記主壁板に広告板部を区画する切取部を形成することを特徴とする花卉収容箱。
【発明の詳細な説明】
【技術分野】
【０００１】
本発明は、花卉を収容する花卉収容箱に関する。
【背景技術】
【０００２】
生産者あるいは卸売業者から販売店に花卉を運搬する際には、花卉の損傷を防止するとともに運搬効率を高めるため、花卉をプラスチック製や段ボール製の運搬容器に収容することが多い。このような運搬容器として、運搬中の衝撃から花卉を効果的に保護するようにした運搬容器が開発されている(たとえば、特許文献１参照)。
【０００３】
そして、運搬容器に収容された花卉が販売店に届けられると、販売店においては、運搬容器から取り出した花卉をバケツ等に収容するとともに、店内や店頭に陳列して販売することになる。また、花卉は贈り物として購入されることが多いため、花卉を見栄え良く陳列することが売り上げ面においても重要となっている。
【特許文献１】特開平８−２４４８６８号公報(第３頁、図１)
【発明の開示】
【発明が解決しようとする課題】
【０００４】
しかしながら、バケツに収容された花卉を並べるだけでは、花卉が同じ高さで配置されることになるため、花卉を見栄え良く陳列することは困難であった。また、販売店においては花卉の見栄えを良くするため、陳列棚に花卉を配置することも行われているが、年末年始や母の日等には花卉の取扱量が増大してしまうため、１年を通じて全ての花卉を見栄え良く配置するための陳列棚を用意することは、不経済であるばかりでなくコスト的にも困難となっていた。
【０００５】
本発明の目的は、低コストで花卉を見栄え良く陳列することのできる花卉収容箱を提供することにある。
【課題を解決するための手段】
【０００６】
本発明の花卉収容箱は、花卉を収容する花卉収容箱であって、四辺形の主壁板と、前記主壁板に横方向に連なって角形筒体を形成する複数の四辺形の副壁板とを有し、前記主壁板に横方向に伸びるとともに主壁板を一方側半体と他方側半体とに区画する区画部を形成し、前記複数の副壁板のそれぞれに、それぞれの副壁板を一方側半体と他方側半体とに区画するとともに相互に連なって前記区画部の一端と他端とを結ぶ切断部を形成することを特徴とする。
【０００７】
本発明の花卉収容箱は、前記主壁板の区画部は、前記主壁板の縦方向中央に形成される折り曲げ部であり、花卉を収容する１つの運搬容器として使用する際には、前記切断部を介して前記副壁板の一方側半体と他方側半体とを一体に保持し、花卉を収容する２つの陳列容器として使用する際には、前記切断部に沿って前記副壁板のそれぞれを一方側半体と他方側半体とに分断するとともに前記折り曲げ部に沿って前記主壁板を折り返すことを特徴とする。
【０００８】
本発明の花卉収容箱は、前記主壁板の区画部は切断部であり、花卉を収容する１つの運搬容器として使用する際には、前記切断部を介して前記主壁板および前記副壁板の一方側半体と他方側半体とを一体に保持し、花卉を収容する２つの陳列容器として使用する際には、前記切断部に沿って前記主壁板および前記副壁板のそれぞれを一方側半体と他方側半体とに分断することを特徴とする。
【０００９】
本発明の花卉収容箱は、前記複数の副壁板は前記主壁板に対向する副壁板と相互に対向する一対の副壁板とにより形成され、前記角形筒体を矩形断面に形成することを特徴とする。
【００１０】
本発明の花卉収容箱は、前記主壁板の両側辺に設けられる前記副壁板の切断部を縦方向に傾斜させることを特徴とする。
【００１１】
本発明の花卉収容箱は、前記主壁板および前記副壁板のそれぞれの縦方向端部にフラップ板を連設し、前記フラップ板の少なくともいずれか２つに底上げ板部を区画する切取部を形成することを特徴とする。
【００１２】
本発明の花卉収容箱は、前記主壁板に広告板部を区画する切取部を形成することを特徴とする。
【発明の効果】
【００１３】
本発明によれば、主壁板に区画部を形成するとともに、副壁板に区画部の一端と他端とを結ぶ切断部を形成するようにしたので、１つの運搬容器から２つの陳列容器を容易に形成することができ、この陳列容器を用いて花卉を見栄え良く陳列することができる。また、花卉収容箱を従来の運搬容器としてだけでなく、陳列容器として使用することができるため、販売店等において花卉の取扱量が一時的に増大した場合であっても、陳列棚の数量等に制限されることなく、多くの花卉を見栄え良く陳列することができ、販売店の売り上げ向上に寄与することができる。さらに、販売店等においては、花卉を入荷する度に陳列容器を入手することが可能となるため、予め多くの陳列棚を用意する必要がなく、陳列棚等のコストを削減することができる。
【００１４】
また、区画部の両端のそれぞれに連なる切断部を縦方向に傾斜させるようにしたので、高さ寸法の異なる２つの陳列容器を形成することができる。これにより、花卉を雛壇状に陳列することができ、花卉を見栄え良く陳列することができる。
【発明を実施するための最良の形態】
【００１５】
以下、本発明の実施の形態を図面に基づいて詳細に説明する。
【００１６】
図１は本発明の一実施の形態である花卉収容箱１０を示す斜視図であり、図２は花卉収容箱１０の展開状態を示す展開図である。なお、図１は運搬容器として使用する際の花卉収容箱１０の形状を示している。図１に示すように、花卉収容箱１０は、主壁板１１、３枚の副壁板１２〜１４、天壁部１５および底壁部１６によって形成されており、全体的に縦長の直方体形状を有している。図示する花卉収容箱１０は、材料としての段ボール板を図２に示す所定の形状に打ち抜いた後に、これを組み立てて形成されることになるが、材料としては段ボール板に限られることはなく、他の厚紙等であっても良く、プラスチック等の樹脂材料であっても良い。
【００１７】
図２に示すように、展開された状態の花卉収容箱１０は、組立時に角形筒体を形成する主壁板１１と３枚の副壁板１２〜１４とを備えている。主壁板１１と副壁板１２〜１４とは、それぞれに長方形状の四辺形を備えており、それぞれに横方向に連なって設けられている。また、主壁板１１と副壁板１２〜１４との天辺１１ａ〜１４ａおよび底辺１１ｂ〜１４ｂには、フラップ板２１ａ〜２４ａ，２１ｂ〜２４ｂが設けられており、花卉収容箱１０を組み立てる際には、天辺側に設けられるフラップ板２１ａ〜２４ａにより天壁部１５が形成され、底辺側に設けられるフラップ板２１ｂ〜２４ｂにより底壁部１６が形成される。さらに、副壁板１４の側辺１４ｃには糊代片２５が設けられており、この糊代片２５と副壁板１２とを接着することにより、折り畳んだ状態の花卉収容箱１０が形成されることになる。
【００１８】
また、図２に示すように、主壁板１１の縦方向中央には、横方向に伸びるとともに、主壁板１１を一方側半体である上部半体３１ａと他方側半体である下部半体３１ｂとに区画する区画部（折り曲げ部）としての折り曲げ線３１が形成されている。この折り曲げ線３１は、主壁板１１の天辺１１ａおよび底辺１１ｂに平行となって、主壁板１１の一方の側辺１１ｃから他方の側辺１１ｄに達するように形成されている。この主壁板１１の両側辺１１ｃ，１１ｄに設けられるとともに、組立時に相互に対向する一対の副壁板１２，１３には、それぞれの副壁板１２，１３を一方側半体である上部半体３２ａ，３３ａと他方側半体である下部半体３２ｂ，３３ｂとに区画する切断部としてのミシン目３２，３３が形成されている。これらのミシン目３２，３３は、副壁板１２，１３の一方の側辺１２ｃ，１３ｃから他方の側辺１２ｄ，１３ｄに達するように形成されており、主壁板１１の折り曲げ線３１に連なるようになっている。つまり、主壁板１１に接するミシン目３２，３３の基端部は、側辺１２ｃ，１３ｄの中央に位置するようになっている。さらに、それぞれのミシン目３２，３３は縦方向に傾斜するように形成されており、副壁板１２の側辺１２ｃとミシン目３２とにより形成される角度α１と、副壁板１３の側辺１３ｄとミシン目３３とにより形成される角度α２とは同一の角度に形成されている。なお、縦方向とは後述する花卉Ｆの収容方向である。
【００１９】
さらに、花卉収容箱１０の組立時に、主壁板１１に対向する副壁板１４には、副壁板１２，１３のミシン目３２，３３に連なるように、副壁板１４を一方側半体である上部半体３４ａと他方側半体である下部半体３４ｂとに区画する切断部としてのミシン目３４が形成されている。このミシン目３４は、副壁板１４の天辺１４ａおよび底辺１４ｂに平行となって、副壁板１４の一方の側辺１４ｃから他方の側辺１４ｄに達するように形成されている。なお、この副壁板１４から伸びる糊代片２５には、副壁板１２のミシン目３２に重なるように傾斜したミシン目２５ａが形成されている。
【００２０】
つまり、図２に示すように、副壁板１２〜１４のそれぞれに形成されるミシン目３２〜３４は相互に連なるように設けられており、連続するミシン目３２〜３４を介して主壁板１１の折り曲げ線３１の一端と他端とは結ばれることになる。
【００２１】
また、主壁板１１の上部半体３１ａには、広告板部３５を区画する切取部としてのミシン目３６が形成されている。この広告板部３５は長方形状に区画されており、広告板部３５の下端側には縦方向に伸びる２本の係合溝３５ａが形成されている。さらに、副壁板１２，１３に設けられるフラップ板２２ａ，２３ａには、それぞれ底上げ板部３７を区画する切取部としてのミシン目３８が、副壁板１２，１３の天辺１２ａ，１３ａに重なるように形成されている。そして、この底上げ板部３７の下端側には縦方向に伸びる１本の係合溝３７ａが形成されている。
【００２２】
なお、主壁板１１に広告板部３５を区画する位置としては、上部半体３１ａに限られることはなく、下部半体３１ｂに区画するようにしても良い。また、底上げ板部３７を区画するフラップ板としては、副壁板１２，１３の天辺１２ａ，１３ａに設けられるフラップ板２２ａ，２３ａに限れられることはなく、底辺１２ｂ，１３ｂを介して設けられるフラップ板２２ｂ，２３ｂであっても良く、主壁板１１や副壁板１４のフラップ板２１ａ，２１ｂ，２４ａ，２４ｂであっても良い。さらに、底上げ板部３７を区画するフラップ板は２枚に限られることはなく、３枚以上のフラップ板に底上げ板部３７を区画するようにしても良い。
【００２３】
次いで、花卉収容箱１０を運搬容器として使用することにより、生産者あるいは卸売業者から販売店に花卉Ｆを運搬する際の手順について説明する。図３は運搬時における花卉Ｆの収容状態を示す斜視図である。図３に示すように、花卉Ｆの運搬容器として花卉収容箱１０を使用する際には、副壁板１２〜１４に形成されるミシン目３２〜３４を切り離すことなく花卉収容箱１０が組み立てられる。つまり、副壁板１２〜１４の上部半体３２ａ〜３４ａと下部半体３２ｂ〜３４ｂとがミシン目３２〜３４を介して一体となった状態のまま、花卉収容箱１０が組み立てられることになる。
【００２４】
このように、運搬容器となった花卉収容箱１０に花卉Ｆを収容する際には、花卉収容箱１０の天壁部１５を開口した後に、花卉Ｆが収容されたバケツＢを、開口部から花卉収容箱１０内に収容することになる。このとき、バケツＢに水を入れておくことで、花卉Ｆの鮮度を保つようにしても良い。なお、図３に示すように、２つのバケツＢを重ねて花卉収容箱１０に収容しているが、これは花卉収容箱１０を後述する陳列容器として用いる際に、２つのバケツＢを使用するためである。
【００２５】
以下、販売店に届けられた花卉Ｆを陳列する際の手順について説明する。図４〜図６は花卉収容箱１０を陳列容器として使用する際の手順を示す説明図であり、図７および図８は陳列時における花卉Ｆの収容状態を示す斜視図である。まず、図４に示すように、主壁板１１のミシン目３６に沿って広告板部３５を切り離すことにより広告板４０が形成され、フラップ板２２ａ，２３ａのミシン目３８に沿って底上げ板部３７を切り離すことにより２つの底上げ板４１が形成される。
【００２６】
続いて、図５(Ａ)および(Ｂ)に示すように、副壁板１２〜１４のミシン目３２〜３４に沿って上部半体３２ａ〜３４ａと下部半体３２ｂ〜３４ｂとを切り離した後に、主壁板１１の折り曲げ線３１に沿って主壁板１１を折り返すことにより、主壁板１１および副壁板１２〜１４の上部半体３１ａ〜３４ａを、矢印ａで示すように反転させながら下部半体３１ｂ〜３４ｂの前方に移動させる。このように、上部半体３１ａ〜３４ａを移動させると、図６(Ａ)に示すように、それぞれに開口した２つの陳列容器１０ａ，１０ｂが並んで形成されることになる。これら２つの陳列容器１０ａ，１０ｂは、副壁板１２，１３のミシン目３２，３３を縦方向に傾斜させることにより、それぞれの高さ寸法を異なるように形成することができ、前方に位置する上部半体３１ａ〜３４ａによって形成される陳列容器１０ａの高さ寸法を低く、後方に位置する下部半体３１ｂ〜３４ｂによって形成される陳列容器１０ｂの高さ寸法を高く設定することができる。なお、主壁板１１の折り曲げ線３１は粗いミシン目によって形成されており、容易に主壁板１１を折り返すことが可能となっている。
【００２７】
そして、図６(Ａ)および(Ｂ)に示すように、図４において切り取られた広告板４０は、所望の販売情報が書き込まれた後に下部半体３４ｂの上端に係合溝３５ａを介して装着される。また、図４において切り取られた２枚の底上げ板４１は、互いの係合溝３７ａを介して十字状に組み合わされた後に、後方に位置する陳列容器１０ｂの内部に収容される。つまり、組み合わせた底上げ板４１を陳列容器１０ｂに収容することにより、後方の陳列容器１０ｂの深さ寸法を前方の陳列容器１０ａに合わせることが可能となる。なお、広告板４０に所望の販売情報を書き込むようにしているが、広告板４０に所望の販売情報を予め印刷しても良い。
【００２８】
このように形成される陳列容器１０ａ，１０ｂのそれぞれに、バケツＢに入れられた花卉Ｆを収容すると、図７に示すように、バケツＢを露出させることなく花卉Ｆを雛壇状に陳列することができるため、花卉Ｆを見栄え良く陳列することができる。また、花卉収容箱１０を従来の運搬容器としてだけでなく、陳列容器１０ａ，１０ｂとして使用することができるため、販売店において花卉Ｆの取扱量が一時的に増大した場合であっても、陳列棚の数量等に制限されることなく、図８に示すように、多くの花卉Ｆを見栄え良く陳列することができ、販売店の売り上げ向上に寄与することができる。さらに、販売店においては、花卉Ｆを入荷する度に陳列容器１０ａ，１０ｂを入手することが可能となるため、予め多くの陳列棚を用意する必要がなく、陳列棚等のコストを削減することができる。しかも、本発明の花卉収容箱１０にあっては、従来の花卉収容箱１０にミシン目３２〜３４を追加するだけで陳列容器１０ａ，１０ｂとして有効活用できるため、陳列容器１０ａ，１０ｂとして使用できる花卉収容箱１０を低コストで提供することが可能となる。
【００２９】
また、図示する花卉収容箱１０においては、主壁板１１の区画部として折り曲げ線３１を形成するようにしているが、折り曲げ線３１に限られることはなく、区画部として切断部であるミシン目を形成しても良い。この場合には、副壁板１２〜１４をミシン目３２〜３４に沿って分断するだけでなく、主壁板１１の縦方向中央に形成されるミシン目に沿って主壁板１１を分断することにより、それぞれに独立した２つの陳列容器を形成することができる。このように、１つの花卉収容箱から分割された２つの陳列容器を形成する場合であっても、前述した効果と同様の効果を得ることができる。なお、主壁板１１の切断部としてはミシン目に限られることはなく、切断部を印刷等によって印すことにより、刃物を用いて主壁板１１を分断するようにしても良い。さらに、切断部の形成位置としては主壁板１１の縦方向中央に限られることはなく、縦方向中央からずらして形成しても良い。
【００３０】
図９(Ａ)および(Ｂ)は、本発明の他の実施の形態である花卉収容箱５０，６０を示す斜視図である。まず、図９(Ａ)に示すように、花卉収容箱５０の副壁板５１，５２に貫通孔５３を形成するようにしても良い。このように貫通孔５３を形成することにより、花卉収容箱５０を運搬容器として使用する際に、貫通孔５３を取っ手として使用することができ、花卉収容箱５０の積み込みや積み卸しが極めて容易となる。また、図９(Ｂ)に示すように、花卉収容箱６０の副壁板６１に、係止片６２を区画するミシン目６３と、係止片６２の先端部を挿入する切込み６４とを形成するようにしても良い。これにより、花卉収容箱６０を陳列容器として使用する際に、係止片６２を切り出すとともに切込み６４に挿入することにより、２つの陳列容器を並んだ状態で確実に保持することができ、花卉収容箱６０の見栄えを良好に保つことができる。
【００３１】
本発明は前記実施の形態に限定されるものではなく、その要旨を逸脱しない範囲で種々変更可能であることはいうまでもない。たとえば、図示する花卉収容箱１０は縦長の直方体形状を備えているが、この形状に限られることはなく、立方体形状や横長の直方体形状であっても良い。また、図示する花卉収容箱１０は、矩形断面の角形筒体を備えているが、角形筒体の断面形状としては矩形に限られることはなく、三角形、五角形、六角形など他の角形形状であっても良い。
【００３２】
また、切断部や切取部としてミシン目３２〜３４，３６，３８を形成しているが、１本のミシン目に限られることはなく、２本のミシン目を並べて設けることにより切断部や切取部を帯状に形成するようにしても良い。さらに、切断部や切取部を印刷等によって印すことにより、花卉収容箱１０を陳列容器として使用する際には、刃物を用いて副壁板１２〜１４を分断し、広告板４０や底上げ板４１を切り取るようにしても良い。
【００３３】
さらに、図示する花卉収容箱１０においては、副壁板１２，１３に形成されるミシン目３２，３３を、所定の角度α１，α２で傾斜させるようにしているが、この傾斜角は図２に示す角度に限定されることはなく、他の角度であっても良いことは言うまでもない。
【００３４】
さらに、図示する花卉収容箱１０においては、角形筒体の開口部がフラップ板２１ａ〜２４ａ，２１ｂ〜２４ｂにより閉塞されているが、フラップ板を短く形成することにより、開口部に隙間を形成して内部に収容される花卉Ｆの蒸れを防止するようにしても良い。
【００３５】
さらに、前記実施の形態においては、花卉収容箱１０を陳列容器として使用する際に、一方の陳列容器１０ｂに底上げ板４１を収容しているが、高さ寸法の異なる花卉Ｆを陳列容器１０ａ，１０ｂに収容する場合には、底上げ板４１を収容することなく使用しても良い。
【００３６】
さらに、図３に示すように、花卉収容箱１０を１つの運搬容器として使用する際に、花卉Ｆとともに２つのバケツＢを収容しているが、花卉Ｆだけを花卉収容箱１０に収容して運搬するようにしても良い。
【００３７】
なお、花卉収容箱１０を陳列容器１０ａ，１０ｂとして使用する際の見栄えを良くするため、主壁板１１や副壁板１２〜１４に予め色彩を施すようにしても良いことは言うまでもない。
【図面の簡単な説明】
【００３８】
【図１】本発明の一実施の形態である花卉収容箱を示す斜視図である。
【図２】花卉収容箱の展開状態を示す展開図である。
【図３】運搬時における花卉の収容状態を示す斜視図である。
【図４】花卉収容箱を陳列容器として使用する際の手順を示す説明図である。
【図５】(Ａ)および(Ｂ)は、花卉収容箱を陳列容器として使用する際の手順を示す説明図である。
【図６】(Ａ)および(Ｂ)は、花卉収容箱を陳列容器として使用する際の手順を示す説明図である。
【図７】陳列時における花卉の収容状態を示す斜視図である。
【図８】陳列時における花卉の収容状態を示す斜視図である。
【図９】(Ａ)および(Ｂ)は、本発明の他の実施の形態である花卉収容箱を示す斜視図である。
【符号の説明】
【００３９】
１０    花卉収容箱
１０ａ，１０ｂ    陳列容器（花卉収容箱）
１１    主壁板
１１ａ  天辺
１１ｂ  底辺
１１ｃ，１１ｄ  側辺
１２〜１４      副壁板
１２ａ〜１４ａ  天辺
１２ｂ〜１４ｂ  底辺
１２ｃ〜１４ｃ，１２ｄ〜１４ｄ    側辺
１５    天壁部
１６    底壁部
２１ａ〜２４ａ，２１ｂ〜２４ｂ    フラップ板
２５    糊代片
２５ａ  ミシン目
３１    折り曲げ線（区画部，折り曲げ部）
３１ａ  上部半体（一方側半体）
３１ｂ  下部半体（他方側半体）
３２    ミシン目（切断部）
３２ａ  上部半体（一方側半体）
３２ｂ  下部半体（他方側半体）
３３    ミシン目（切断部）
３３ａ  上部半体（一方側半体）
３３ｂ  下部半体（他方側半体）
３４    ミシン目（切断部）
３４ａ  上部半体（一方側半体）
３４ｂ  下部半体（他方側半体）
３５    広告板部
３５ａ  係合溝
３６    ミシン目（切取部）
３７    底上げ板部
３７ａ  係合溝
３８    ミシン目（切取部）
４０    広告板
４１    底上げ板
５０    花卉収容箱
５１，５２    副壁板
５３    貫通孔
６０    花卉収容箱
６１    副壁板
６２    係止片
６３    ミシン目
６４    切込み
Ｆ      花卉
Ｂ      バケツ
【図１】
2005178808.tif 000003
【図２】
2005178808.tif 000004
【図３】
2005178808.tif 000005
【図４】
2005178808.tif 000006
【図５】
2005178808.tif 000007
【図６】
2005178808.tif 000008
【図７】
2005178808.tif 000009
【図８】
2005178808.tif 000010
【図９】
2005178808.tif 000011